(57)【特許請求の範囲】
【請求項１】
外周部に相手側部材の開口部に装着される環状溝が形成された筒状大径部と、該筒状大径部から突出し、線状部材が挿通される内周面を有する筒状小径部と、からなるグロメットにおいて、
前記筒状小径部の内周面に該内周面から突出するように設けられ、該筒状小径部の突出方向に亘って螺旋状に延在する螺旋状リブと、
前記筒状内径部の内周面に該内周面から突出するように設けられ、前記螺旋状リブと交差するように該筒状小径部の突出方向に直線状に延在する直線リブとを有することを特徴とするグロメット。
【請求項２】
前記線状部材がワイヤハーネスからなることを特徴とする請求項１記載のグロメット。
【請求項３】
前記筒状小径部を第１の筒状小径部としたとき、該第１の筒状小径部に隣接して該第１の筒状小径部よりも小径の第２の筒状小径部を設け、該第２の筒状小径部の内周部を前記第１の筒状小径部と同形状に形成し、
該第２の筒状小径部に補助ケーブルを挿通可能にしたことを特徴とする請求項２記載のグロメット。
【発明の詳細な説明】
【０００１】
【発明の属する技術分野】
本発明は、グロメットに関し、詳しくは、車体や電気機器等のパネルの開口部にワイヤハーネス等の線状部材を挿通する際に、該開口部とワイヤハーネスが接触するのを防止するとともに、開口部を通してパネル内に水等が侵入するのを防止することができるグロメットに関する。
【０００２】
【従来の技術】
一般に、車体や電子機器等に設けられ、外部と内部を区画するパネルに形成された開口部にワイヤハーネス等の線状部材を挿通する際に、開口部とワイヤハーネスが接触するのを防止するとともに、水等が開口部とワイヤハーネスの間の隙間からパネル内（室内）に侵入するのを防止するためにグロメットが使用されている。
【０００３】
従来のこの種のグロメットとしては、例えば、図３のように示される。図３において、１はグロメットであり、このグロメット１は、外周部に車体や電気機器等の図示しないパネルの取付け孔に嵌合される環状溝２ａが形成された筒状大径部２と、この筒状大径部２から突出し、ワイヤハーネス４が挿通される内周面３ａを有する筒状小径部３と、有している。
【０００４】
この筒状小径部３の内周部には、環状のリブ５が突出しており、このリブ５の筒状小径部３の内周部からの突出高さＤはワイヤハーネス４の外形ｄと同形か、または若干小さく（Ｄ＜ｄ）なっている。
このようなグロメット１にあっては、筒状小径部３にワイヤハーネス４を挿通した後、パネルの取付け孔に環状溝２ａを嵌合させるようにしてパネルに取付けられるようになっており、このとき、ワイヤハーネス４の外周部にリブ５が均一に密着するため、筒状小径部３とワイヤハーネス４の間に隙間が生じるのを防止して液密性を高めることができる。
【０００５】
一方、図４に示すように、近時のグロメット６にあっては、ワイヤハーネス４と共にウォッシャチューブやオープナケーブル等の補助ケーブル７が取付けられるものがあり、このようなグロメット６は筒状小径部３に隣接してこの筒状小径部３よりも小径の筒状小径部８が設けられている。
この筒状小径部８の内周部の形状も筒状小径部３の内周部の形状と同形状となっており、筒状小径部８に補助ケーブル７が取付けられたときに、補助ケーブル７の外周部に筒状小径部８の内周部に形成されたリブ９が均一に密着するため、筒状小径部８と補助ケーブル７の間に隙間が生じるのを防止して液密性を高めることができるようになっている。なお、図４において、符号１０は補助ケーブル７を車体パネルに取付けるための固定用金具である。
【０００６】
【発明が解決しようとする課題】
しかしながら、このような従来のグロメット１、６にあっては、筒状小径部３、８に環状のリブ５、９が離隔して設けられていたため、リブ５、９と筒状小径部３、８の内周面の間に断差が生じてしまい、筒状小径部３、８にワイヤハーネス４および補助ケーブル７を挿通する際に、ワイヤハーネス４および補助ケーブル７がリブ５、９に引っ掛かってしまった。
【０００７】
このため、ワイヤハーネス４および補助ケーブル７の挿通に大きな力が必要となってしまい、ワイヤハーネス４および補助ケーブル７の挿通作業の作業性が悪化してしまうという問題があった。
そこで本発明は、線状部材を筒状小径部にスムーズに挿通することができ、線状部材の挿通作業の作業性を向上させることができるとともに線状部材の挿通後に液密性が低下するのを防止することができるグロメットを提供することを目的としている。
【０００８】
【課題を解決するための手段】
請求項１記載の発明は、上記課題を解決するために、外周部に相手側部材の開口部に装着される環状溝が形成された筒状大径部と、該筒状大径部から突出し、線状部材が挿通される内周面を有する筒状小径部と、からなるグロメットにおいて、前記筒状小径部の内周面に該内周面から突出するように設けられ、該筒状小径部の突出方向に亘って螺旋状に延在する螺旋状リブと、前記筒状内径部の内周面に該内周面から突出するように設けられ、前記螺旋状リブと交差するように該筒状小径部の突出方向に直線状に延在する直線リブとを有することを特徴とするものである。
【０００９】
その場合、リブが筒状小径部の突出方向に沿って螺旋状に延在しているため、リブと筒状小径部の間に断差を生じさせずにリブを連続して延在させることができる。このため、筒状小径部に線状部材をスムーズに挿通することができる。
また、図３、４に示す従来の筒状小径部にあっては、環状のリブ５、９が離隔して設けられていたため、筒状小径部３、６の内周面、リブ５、９、ワイヤハーネス４、補助ケーブル７によって閉空間が画成されることになり、仮に筒状小径部３、８内に水が進入した場合には、リブ５、９に遮断されて水が閉空間内に留り、次の閉空間に進入するのを防止することができる。
【００１０】
これに対して、本発明のリブは螺旋状に延在してしているため、閉空間が画成されることがない。そこで、本発明では、螺旋状リブと交差するように筒状小径部の突出方向に直線状に延在する直線リブを設けることにより、筒状小径部の内周面、螺旋状リブ、直線リブおよび線状部材によって閉空間を画成することができ、仮に筒状小径部に水が進入した場合に、螺旋状リブおよび直線リブによって水を遮断して次の閉空間に進入するのを防止することができる。この結果、液密性を十分に確保することができる。
【００１１】
請求項２記載の発明は、上記課題を解決するために、請求項１記載の発明において、前記線状部材がワイヤハーネスからなることを特徴としている。
その場合、ワイヤハーネスを筒状小径部にスムーズに挿通することができ、ワイヤハーネスの挿通作業の作業性を向上させることができるとともにワイヤハーネスの挿通後に液密性が低下するのを防止することができる。
【００１２】
請求項３記載の発明は、上記課題を解決するために、請求項１または２記載の発明において、前記筒状小径部を第１の筒状小径部としたとき、該第１の筒状小径部に隣接して該第１の筒状小径部よりも小径の第２の筒状小径部を設け、該第２の筒状小径部の内周部を前記第１の筒状小径部と同形状に形成し、該第２の筒状小径部に補助ケーブルを挿通可能にしたことを特徴としている。
【００１３】
その場合、ワイヤハーネスおよび補助ケーブルを筒状小径部にスムーズに挿通することができ、ワイヤハーネスおよび補助ケーブルの挿通作業の作業性を向上させることができるとともにワイヤハーネスおよび補助ケーブルの挿通後に液密性が低下するのを防止することができる。
【００１４】
【発明の実施の形態】
以下、本発明の実施形態を図面に基づいて説明する。
図１、２は本発明に係るグロメットの一実施形態を示す図である。
まず、構成を説明する。図１、２において、１１はＥＰＤＭ等の材質から構成されるグロメットであり、このグロメット１１は、外周部に車体や電気機器等の相手側部材としての図示しないパネルに形成された開口部に装着される環状溝１２ａが形成された筒状大径部１２と、この筒状大径部１２から突出し、ワイヤハーネス（線状部材）１４が挿通される内周面１３ａを有する筒状小径部（第１の筒状小径部）１３と、筒状小径部１３に隣接するようにして筒状大径部１２から突出し、ウォッシャチューブやオープナケーブル等の補助ケーブル１５が挿通される内周面１５ａを有する筒状小径部（第２の筒状小径部）１６を備えている。
【００１５】
この筒状内径部１３、１６の内周面にはこの内周面から突出するようにリブ（螺旋状リブ）１７、１８が設けられており、このリブ１７、１８は筒状内径部１３、１６の突出方向に沿って螺旋状に延在している。
なお、図２の仮想線は、筒状小径部１３、１６を断面で描いたときには図示されない実線のリブ部分に連続するリブを示している。
【００１６】
また、筒状内径部１３、１６の内周面にはこの内周面から突出するようにリブ（直線リブ）１９、２０が設けられており、このリブ１９、２０は筒状内径部１３、１６の突出方向に沿って直線状に延在している。
また、リブ１７の筒状小径部１３の内周部からの突出高さＤ１はワイヤハーネス１４の外形ｄ１と同形か、または若干小さく（Ｄ１＜ｄ１）なっている。また、リブ１８の筒状小径部１６の内周部からの突出高さＤ２は補助ケーブル１５の外形ｄ２と同形か、または若干小さく（Ｄ２＜ｄ２）なっている。また、リブ１７およびリブ１９とリブ１８およびリブ２０の幅は同じ幅に形成されている。
【００１７】
次に、作用を説明する。
このようなグロメット１１にあっては、まず、筒状小径部１３にワイヤハーネス１４を挿通する。このとき、リブ１７が筒状小径部１３の突出方向に沿って螺旋状に延在していることから、リブ１７と筒状小径部１３の間に断差を生じずにリブ１７が連続して延在しているため、筒状小径部１３にワイヤハーネス１４をスムーズに挿通することができる。
【００１８】
次いで、筒状小径部１６に補助ケーブル１５を挿通する。このとき、リブ１８が筒状小径部１６の突出方向に沿って螺旋状に延在していることから、リブ１８と筒状小径部１６の間に断差を生じずにリブ１８が連続して延在しているため、筒状小径部１６に補助ケーブル１５をスムーズに挿通することができる。
このようにしてグロメット１１にワイヤハーネス１４および補助ケーブル１５を挿通した後、パネルの取付け孔に環状溝１２ａを嵌合させるようにしてパネルに取付けることにより、ワイヤハーネス１４および補助ケーブル１５を車体パネルに装着することができる。
【００１９】
一方、グロメット１１をパネルに取付けた後に、筒状小径部１３または１６内に水が進入する可能性がある。本実施形態では、リブ１７、１８と交差するように筒状小径部１３、１６の突出方向に直線状に延在するリブ１９、２０を設けることにより、筒状小径部１３、１６の内周面、リブ１７、１８、リブ１９、２０およびワイヤハーネス１４、補助ケーブル１５によって閉空間を画成することができ、筒状小径部１３、１６に水が進入した場合に、螺旋状のリブ１７、１８およびリブ１９、２０によって水を遮断して次の閉空間に進入するのを防止することができる。
【００２０】
このように本実施形態では、筒状小径部１３、１６の内周面にこの内周面から突出するように設けられ、筒状小径部１３、１６の突出方向に亘って螺旋状に延在するリブ１７、１８と、筒状内径部１３、１６の内周面にこの内周面から突出するように設けられ、リブ１７、１８と交差するように筒状小径部１３、１６の突出方向に直線状に延在するリブ１９、２０とを設けたため、ワイヤハーネス１４および補助ケーブル１５を筒状小径部１３、１６にスムーズに挿通することができ、ワイヤハーネス１４および補助ケーブル１５の挿通作業の作業性を向上させることができるとともにワイヤハーネス１４および補助ケーブル１５の挿通後に液密性が低下するのを防止することができる。
【００２１】
なお、本実施形態では、グロメットの成形に際して、成形用金型を２分割にして成形することができるため、従来の金型のリブの形状を変更するのみで良く、成形用金型のコストが増大することがない。
【００２２】
【発明の効果】
請求項１記載の発明によれば、リブが筒状小径部の突出方向に沿って螺旋状に延在しているため、リブと筒状小径部の間に断差を生じさせずにリブを連続して延在させることができる。このため、筒状小径部に線状部材をスムーズに挿通することができる。
【００２３】
また、リブと交差するように筒状小径部の突出方向に直線状に延在する直線リブを設けたので、筒状小径部の内周面、螺旋状リブ、直線リブおよび線状部材によって閉空間を画成することができ、仮に筒状小径部に水が進入した場合に、螺旋状リブおよび直線リブによって水を遮断して次の閉空間に進入するのを防止することができる。この結果、液密性を十分に確保することができる。
【００２４】
請求項２記載の発明によれば、ワイヤハーネスを筒状小径部にスムーズに挿通することができ、ワイヤハーネスの挿通作業の作業性を向上させることができるとともにワイヤハーネスの挿通後に液密性が低下するのを防止することができる。
請求項３記載の発明によれば、ワイヤハーネスおよび補助ケーブルを筒状小径部にスムーズに挿通することができ、ワイヤハーネスおよび補助ケーブルの挿通作業の作業性を向上させることができるとともにワイヤハーネスおよび補助ケーブルの挿通後に液密性が低下するのを防止することができる。
【図面の簡単な説明】
【図１】本発明に係るグロメットの一実施形態を示す図であり、その外観図である。
【図２】（ａ）は図１のＣ部分の断面図、（ｂ）は図１のＤ部分の断面図である。
【図３】（ａ）は従来のグロメットの断面図、（ｂ）は同図（ａ）のＡ部分の拡大図である。
【図４】（ａ）は従来の他の形状のグロメットの外観図、（ｂ）は同図（ａ）のＢ部分の断面図であり、補助ケーブルが挿通される前の状態である。
【符号の説明】
１１    グロメット
１２    筒状大径部
１３    筒状小径部（第１の筒状小径部）
１４    ワイヤハーネス（線状部材）
１５    補助ケーブル
１６    筒状小径部（第２の筒状小径部）
１７、１８    リブ（螺旋状リブ）
１９、２０    リブ（直線リブ）
【図１】
0003606068.tif 000002
【図２】
0003606068.tif 000003
【図３】
0003606068.tif 000004
【図４】
0003606068.tif 000005